【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
スポーツ靴、特にゴルフシューズであり、この靴は、下向きになっている地面に係合する要素が装着されているか又は装着できる靴底部を備えていて、地面に係合する要素（９）又は該要素を取り付ける手段（１０）は、円弧、特に円形の円弧に沿って前進、後退するように案内され、保持されていることを特徴とするもの。
【請求項２】
地面に係合する要素（９）又はこれらを装着するために設けられた要素（１０）は、始動開始位置と最終位置との間を移動できるようになっていることを特徴とする請求項１に規定のスポーツ靴。
【請求項３】
地面に係合する要素（９）又はこれらを装着するために設けられた要素（１０）には、少なくとも一つの支持体（１２〜１７、３０〜３３）が設けられていて、該支持体は、案内手段（２〜７、２８、３４〜３７）により案内、保持されて前記円弧に沿って動くようになっていることを特徴とする請求項１又は請求項２に規定のスポーツ靴。
【請求項４】
支持体（１２〜１７、３０〜３３）が始動開始位置と最終位置との間を移動できるようになっていることを特徴とする請求項３に規定のスポーツ靴。
【請求項５】
支持体（１２〜１７、３０〜３３）が案内手段（２〜７、２８、３４〜３７）により取り外しできないように保持されていることを特徴とする請求項３又は請求項４に規定のスポーツ靴。
【請求項６】
支持体（１２〜１７）がスライド体であることを特徴とする請求項３から請求項５のいずれか一つに規定のスポーツ靴。
【請求項７】
案内手段（２〜７）が円弧状の溝であって、支持体（１２〜１７）に合致していることを特徴とする請求項３から請求項６のいずれか一つに規定のスポーツ靴。
【請求項８】
スライド体（１２〜１７）が円形の円弧の形状になっていることを特徴とする請求項３または請求項７に規定のスポーツ靴。
【請求項９】
二つ又は二つ以上の支持体（１２〜１７）が設けられていて、これらは、実質的に同心状のもので、それらそれぞれは、別個の案内手段（２〜７）により保持され、スライド可能に案内されることを特徴とする請求項３から請求項８のいずれか一つに規定のスポーツ靴。
【請求項１０】
少なくとも一つの支持体（１２〜１５）が足の前側領域にあり、少なくとも一つの支持体（１６、１７）が踵部領域にあることを特徴とする請求項９に規定のスポーツ靴。
【請求項１１】
案内手段（２〜７、２８、３４〜３７）の両端部が閉止され、これにより、支持体（１２〜１７、３０〜３３）の動きが制限されていることを特徴とする請求項３から請求項１０のいずれか一つに規定のスポーツ靴。
【請求項１２】
案内手段（２〜７）の少なくとも一方の端部が開放されていて、これによって、それぞれの支持体（１２〜１７）がその案内手段（２〜７）の外へある程度飛び出すことができるようになっていることを特徴とする請求項３から請求項１０のいずれか一つに規定のスポーツ靴。
【請求項１３】
支持体（１２〜１７）及び案内手段（２〜７）の間で作用し、支持体（１２〜１７）に当接し、案内手段（２〜７）の外へ飛び出す長さを規制するストッパ（２４、２５）が設けてあることを特徴とする請求項１２に規定のスポーツ靴。
【請求項１４】
支持体（１２〜１７）は、始動開始位置をもち、その端部は、靴底部（１）の縁部に一致していることを特徴とする請求項１１又は請求項１３に規定のスポーツ靴。
【請求項１５】
支持体は、スライド体（１２〜１７）であり、これは、案内手段（２〜７）にそってスライドし、その始動開始位置においては、溝（２〜７）の開口に一致し、これを閉止し、この開口を介して靴底部（１）の縁部を越えて押し出されることができるようになっていることを特徴とする請求項１４に規定のスポーツ靴。
【請求項１６】
支持体（１２〜１７）は、これを受ける案内手段（２〜７）よりも短いものである請求項３から請求項１５のいずれか一つに規定のスポーツ靴。
【請求項１７】
案内手段（２〜７，２８，３４〜３７）は、前記支持体（１２〜１７、３０〜３３）を始動開始位置へ戻すことができる戻しスプリング１９と共働することを特徴とする請求項１６に規定のスポーツ靴。
【請求項１８】
戻しスプリングは、円形の円弧の中心点を抱くようになっていることを特徴とする請求項１７に規定のスポーツ靴。
【請求項１９】
支持体（１２〜１７、３０〜３３）とその案内手段（２〜７、２８、３４〜３７）との間を結合し、この結合により、案内手段にそって移動する間、案内手段（２〜７、２８、３４〜３７）内に保持されているか又は案内手段にそっていることを特徴とする請求項１３から請求項１８のいずれか一つに規定のスポーツ靴。
【請求項２０】
案内手段（２〜７）がそれらの長さ方向縁部にそってアンダーカットされていて、それぞれの支持体（１２〜１７）が該アンダーカット部分に係合されていることを特徴とする請求項１９に規定のスポーツ靴。
【請求項２１】
支持体（１２〜１７）が段つき構造になっていて、案内手段（２〜７）のアンダーカット部分に合致するようになっていることを特徴とする請求項２０に規定のスポーツ靴。
【請求項２２】
支持体（１２〜１７）と案内手段（２〜７）が溝と舌部結合の手段により互いに係合していることを特徴とする請求項１９から請求項２１のいずれか一つに規定のスポーツ靴。
【請求項２３】
支持体（１２〜１７、３０〜３３）がプラスチック素材で成形されていることを特徴とする請求項３から請求項２２のいずれか一つに規定のスポーツ靴。
【請求項２４】
支持体（１２〜１７、３０〜３３）がスポーツ靴の靴底部１と同じか又は類似の特性を有するプラスチック素材で成形されていることを特徴とする請求項２３に規定のスポーツ靴。
【請求項２５】
支持体（３０〜３３）が靴底部に取り外しできるように装着されていることを特徴とする請求項３から請求項２４のいずれか一つに規定のスポーツ靴。
【請求項２６】
支持体（３０〜３３）が回動中心点（２８）においてスポーツ靴の靴底部（１）に装着され、前記中心点は、支持体（３０〜３３）の円弧状の移動路の中心点と同心になっていることを特徴とする請求項２５に規定のスポーツ靴。
【請求項２７】
支持体（３０〜３３）には、ホルダー（２７）に設けられていて、このホルダーは、スポーツ靴に取り外しできるように装着されていることを特徴とする請求項２７に規定のスポーツ靴。
【請求項２８】
前記ホルダーは、一つ又は複数のクランプ手段を備え、該手段によりスポーツ靴にクランプされていることを特徴とする請求項２７に規定のスポーツ靴。
【請求項２９】
前記ホルダーは、バックルによりスポーツ靴に取り付けられていることを特徴とする請求項２７に規定のスポーツ靴。
【請求項３０】
前記ホルダーは、受け手段を備え、これにスポーツ靴がおかれ、上からの圧力で強固にロックされることを特徴とする請求項２７に規定のスポーツ靴。
【請求項３１】
地面に係合の要素（９）又はこれらを取り付けるために設けられた手段（１０）が戻しスプリング（１９）と共働することを特徴とする請求項１又は請求項２に規定のスポーツ靴。
【請求項３２】
戻しスプリングが円形の円弧の中心点を抱くように配置されていることを特徴とする請求項３１に規定のスポーツ靴。
【請求項３３】
前記円弧の曲率中心（Ｍ、Ｍ５、Ｍ６、２８）がスポーツ靴の踵部又は踵部側に位置していることを特徴とする前記請求項１乃至３２のいずれか一つに規定のスポーツ靴。
【請求項３４】
前記円弧の曲率中心（Ｍ、Ｍ５、Ｍ６、２８）がスポーツ靴の踵部又は踵部側と足の前側との間にあることを特徴とする請求項３３に規定のスポーツ靴。
【請求項３５】
前記円弧の曲率中心（Ｍ、Ｍ５、Ｍ６、２８）がスポーツ靴の踵部又は踵部側と中足側との間にあることを特徴とする請求項３３に規定のスポーツ靴。
【請求項３６】
前記円弧の曲率中心（Ｍ、Ｍ５、Ｍ６、２８）が頂点を有する足の底の円弧の点にあることを特徴とする請求項３３に規定のスポーツ靴。
【請求項３７】
共通の支持体（３９）、特にプレートに踵部側にはない係合要素（９）のすべてが設けられていることを特徴とする請求項３に規定のスポーツ靴。
【請求項３８】
共通の支持体（３９）、特にプレートに踵部側の係合要素（９）のすべてが設けられていることを特徴とする請求項３に規定のスポーツ靴。
【請求項３９】
二つの支持体（３８、３９）が共通のピボット軸（２８）を有していることを特徴とする請求項５２と請求項３８に規定のスポーツ靴。
【請求項４０】
二つの支持体（３８、３９）が共通のピボット軸（２８）を有していることを特徴とする請求項３９に規定のスポーツ靴。
【請求項４１】
二つの支持体（３８、３９）は、一体になっていることを特徴とする請求項４０に規定のスポーツ靴。